(57)【要約】【課題】複数の企業または事業所等にまたがって進捗管理を行うための技術を提供する。【解決手段】管理装置１と、管理装置１にネットワーク９を介して接続された複数のカンパニーシステム２とを備える。管理装置１は、カンパニー１で行われる作業に係る第１の管理ポイントとカンパニー２で行われる作業に係る第２の管理ポイントとを含む、作業の進捗管理をするための複数の管理ポイントについて、それぞれの管理ポイントに係る作業の終了予定日、および実績の作業終了日を記憶するための進捗管理テーブルを備える。そして、カンパニー１のカンパニーシステム２は、第１の管理ポイントの作業終了日を入力するための入力手段を備え、カンパニー２のカンパニーシステム２は、第２の管理ポイントの作業終了日を入力するための入力手段を備える。【選択図】  図１
2004295531.tif 000002
【特許請求の範囲】
【請求項１】
管理サーバと、前記管理サーバにネットワークを介して接続された第１および第２の企業システムとを備えた進捗管理システムであって、
前記管理サーバは、第１の企業で行われる作業に係る第１の管理ポイントと第２の企業で行われる作業に係る第２の管理ポイントとを含む、作業の進捗管理をするための複数の管理ポイントについて、それぞれの管理ポイントに係る作業の終了予定日、および実績の作業終了日を記憶するための記憶手段を備え、
前記第１の企業システムは、前記第１の管理ポイントの作業終了予定日を入力するための入力手段を備え、
前記第２の企業システムは、前記第２の管理ポイントの作業終了日を入力するための入力手段を備える進捗情報管理システム。
【請求項２】
一連の作業工程における管理ポイントの設定入力を受け付ける手段と、
前記管理ポイントにおける作業の終了予定日の入力を受け付ける手段と、
前記管理ポイントにおける実績の作業終了日の入力を受け付ける手段と、
前記終了予定日と前記実績の終了日とを記憶するための記憶手段と、
前記予定・実績記憶手段を参照し、前記管理ポイントについて前記終了予定日と前記終了日とを並べて表示する手段と、
前記作業終了日が前記終了予定日よりも遅れているとき、警告アイコンを表示する手段と、を備え、
前記管理ポイントの設定入力受け付け手段は、第１の企業で行われる作業工程の第１の管理ポイント、および第２の企業で行われる作業工程の第２の管理ポイントの設定入力を受け付ける進捗情報管理装置。
【請求項３】
ユーザの識別情報と、前記ユーザのアクセス権限を示す情報とを記憶するユーザ情報記憶手段と、
ログインしたユーザの識別情報に基づき、前記ユーザ情報記憶手段を参照して前記ユーザのアクセス権限内であり、かつ、ログイン時点でユーザが未確認の情報を抽出する手段と、
前記抽出手段が抽出した情報を表示する手段と、をさらに備える請求項２記載の進捗情報管理装置。
【請求項４】
所定の事象が起きると、前記事象が前記アクセス権限内ユーザを抽出し、抽出されたユーザへ前記事象の発生を電子メールで通知する手段をさらに備える請求項３記載の進捗情報管理装置。
【請求項５】
作業の進捗管理をするための複数の管理ポイントについて、それぞれの管理ポイントに係る作業の終了予定日、および実績の作業終了日を並べて表示するための第１の画面と、
前記第１の画面に表示されている前記複数の管理ポイントの終了予定日または作業終了日のうちのいずれか一つの項目が選択されているときに、メッセージ入力を受け付ける第２の画面と、
前記第２の画面で入力されたメッセージと、前記選択された項目とを対応づけて記憶する記憶手段と、を備え、
前記記憶手段にメッセージが記憶されている場合、前記第１の画面において、前記記憶されているメッセージと対応づけられている項目の表示領域に、メッセージが記憶されていることを示すシンボルを表示する進捗情報表示装置。
【請求項６】
前記第２の画面が表示されているときに、前記記憶手段の検索指示の入力を受け付ける手段と、
検索指示入力を受け付けると、前記選択されている項目に基づいて、前記記憶手段に記憶されたメッセージを検索する手段と、
前記検索されたメッセージを表示する第３の画面と、をさらに備える請求項５記載の作業進捗状況表示装置。
【請求項７】
進捗情報管理装置の動作のための方法であって、
第１の企業で行われる作業工程の第１の管理ポイントの設定入力を受け付けるステップと、
第２の企業で行われる作業工程の第２の管理ポイントの設定入力を受け付けるステップと、
前記第１および第２の管理ポイントにおける作業終了の予定日の入力を受け付けるステップと、
前記第１および第２の管理ポイントにおける実績の作業終了日の入力を受け付けるステップと、
前記第１および第２の管理ポイントについて前記終了予定日と前記作業終了日とを上下に並べて表示するステップと、
前記作業終了日が前記終了予定日よりも遅れているとき、警告アイコンを表示するステップと、を備える進捗情報管理方法。
【請求項８】
コンピュータに実行されたとき、
第１の企業で行われる作業工程の第１の管理ポイントの設定入力を受け付けるステップと、
第２の企業で行われる作業工程の第２の管理ポイントの設定入力を受け付けるステップと、
前記第１および第２の管理ポイントにおける作業終了の予定日の入力を受け付けるステップと、
前記第１および第２の管理ポイントにおける実績の作業終了日の入力を受け付けるステップと、
前記第１および第２の管理ポイントについて前記終了予定日と前記作業終了日とを上下に並べて表示するステップと、
前記作業終了日が前記終了予定日よりも遅れているとき、警告アイコンを表示するステップと、を行う進捗情報管理のためのコンピュータプログラム。
【発明の詳細な説明】
【０００１】
【発明の属する技術分野】
本発明は、作業の進捗管理をするための技術に関する。
【０００２】
【発明の背景】
スケジュール（予定）を立てて作業を行うとき、一連の作業工程の中に複数の管理ポイントを定めて、各管理ポイントにおいて予定と比べて進んでいるか、あるいは遅れているかなどの進捗度合いをチェックする進捗管理システムがある。従来の進捗管理システムは、一つの企業内または事業所内での作業の進捗管理を行うためのものであった（非特許文献１）。
【０００３】
【非特許文献１】
工程進捗管理ソフトウェア  ［ｏｎｌｉｎｅ］  ＜ＵＲＬ：  ｈｔｔｐ：／／ｗｗｗ．ｓｅｅ−ｖ．ｃｏ．ｊｐ／ｐｒｏｇｒｅｓｓｓｏｆｔ．ｈｔｍｌ＞
また、従来の進捗管理システムは、単に作業の進み具合を把握するための単機能なものであった。
【０００４】
本発明の目的は、複数の企業または事業所等がそれぞれのシステムを有するとき、各企業または事業所等にまたがって進捗管理を行うための技術を提供することである。
【０００５】
本発明の別の目的は、進捗管理のためのシステム等を多機能化することである。
【０００６】
【課題を解決するための手段】
本発明の一つの実施態様に従う進捗情報管理システムは、管理サーバと、前記管理サーバにネットワークを介して接続された第１および第２の企業システムとを備えた進捗管理システムであって、前記管理サーバは、第１の企業で行われる作業に係る第１の管理ポイントと第２の企業で行われる作業に係る第２の管理ポイントとを含む、作業の進捗管理をするための複数の管理ポイントについて、それぞれの管理ポイントに係る作業の終了予定日、および実績の作業終了日を記憶するための記憶手段を備え、前記第１の企業システムは、前記第１の管理ポイントの作業終了予定日を入力するための入力手段を備え、前記第２の企業システムは、前記第２の管理ポイントの作業終了日を入力するための入力手段を備える。
【０００７】
本発明の一つの実施態様に従う進捗情報管理装置は、一連の作業工程における管理ポイントの設定入力を受け付ける手段と、前記管理ポイントにおける作業の終了予定日の入力を受け付ける手段と、前記管理ポイントにおける実績の作業終了日の入力を受け付ける手段と、前記終了予定日と前記実績の終了日とを記憶するための記憶手段と、前記予定・実績記憶手段を参照し、前記管理ポイントについて前記終了予定日と前記終了日とを並べて表示する手段と、を備え、前記管理ポイントの設定入力受け付け手段は、第１の企業で行われる作業工程の第１の管理ポイント、および第２の企業で行われる作業工程の第２の管理ポイントの設定入力を受け付ける。
【０００８】
好適な実施形態では、ユーザの識別情報と、前記ユーザのアクセス権限を示す情報とを記憶するユーザ情報記憶手段と、ログインしたユーザの識別情報に基づき、前記ユーザ情報記憶手段を参照して前記ユーザのアクセス権限内であり、かつ、ログイン時点でユーザが未確認の情報を抽出する手段と、前記抽出手段が抽出した情報を表示する手段と、をさらに備えるようにしてもよい。
【０００９】
好適な実施形態では、所定の事象が起きると、前記事象が前記アクセス権限内ユーザを抽出し、抽出されたユーザへ前記事象の発生を電子メールで通知する手段をさらに備えるようにしてもよい。
【００１０】
本発明の一つの実施形態に従う進捗情報表示装置は、作業の進捗管理をするための複数の管理ポイントについて、それぞれの管理ポイントに係る作業の終了予定日、および実績の作業終了日を並べて表示するための第１の画面と、前記第１の画面に表示されている前記複数の管理ポイントの終了予定日または作業終了日のうちのいずれか一つの項目が選択されているときに、メッセージ入力を受け付ける第２の画面と、前記第２の画面で入力されたメッセージと、前記選択された項目とを対応づけて記憶する記憶手段と、を備え、前記記憶手段にメッセージが記憶されている場合、前記第１の画面において、前記記憶されているメッセージと対応づけられている項目の表示領域に、メッセージが記憶されていることを示すシンボルを表示する。
【００１１】
好適な実施形態では、前記第２の画面が表示されているときに、前記記憶手段の検索指示の入力を受け付ける手段と、検索指示入力を受け付けると、前記選択されている項目に係る予定と実績との乖離に基づいて、前記記憶手段に記憶されたメッセージを検索する手段と、前記検索されたメッセージを表示する第３の画面と、をさらに備える。
【００１２】
【発明の実施の形態】
以下、本発明を適用した一実施形態に係る進捗管理システムについて、図面を用いて説明する。
【００１３】
本システムは、図１に示すように、管理装置１と複数のカンパニーシステム２とがネットワーク９を介して接続されている。管理装置１は、各カンパニーで行う作業工程の進捗情報管理等を集中的に行う。本実施形態におけるカンパニーは、別企業である場合のほか、同一企業であっても事業所が異なる場合や、所在地が離れている工場などを含む。
【００１４】
管理サーバ１およびカンパニーシステム２は、いずれも例えば汎用的なコンピュータシステムにより構成され、以下に説明する管理サーバ１およびカンパニーシステム２内の個々の構成要素または機能は、例えば、コンピュータプログラムを実行することにより実現される。
【００１５】
また、カンパニーシステム２は、例えばＷｅｂブラウザを搭載し、管理装置１は、後述するインタフェース画面（図７〜図１０参照）用のＷｅｂページを備えていてもよい。この場合、カンパニーシステム２は、ＷＷＷ（Ｗｏｒｌｄ  Ｗｉｄｅ  Ｗｅｂ）の方法で管理装置１へアクセスする。
【００１６】
管理装置１および各カンパニーシステム２は、それぞれ図示しない入出力装置を備え、これらを用いて進捗情報の参照、更新等を行うことができる。進捗情報の参照および更新について、詳細は後述する。
【００１７】
本実施形態では、管理対象の一連の作業工程の中で、進捗管理のポイント（時点）を定め、これらの集合をルートと呼ぶ。例えば、鉛筆工場での生産工程を例にとれば、原料の入荷→練り→乾燥→着色→出荷がルートとなる。本システムは、一つのルートについて複数の注文を受け付けて管理することが可能である。この場合、本システムでは各注文単位に進捗管理をする。例えば、上記鉛筆工場のルートでは、赤鉛筆、青鉛筆などの製品別にそれぞれ異なる注文として進捗管理が行われる。
【００１８】
本実施形態での管理対象となるルートの一例を図２に示す。ここでは、ルートＡが工程１、工程２、および工程３からなり、工程１および２がカンパニー１で行われる工程であり、工程３がカンパニー２で行われる。また、ルートＢはカンパニー１で行われる工程４〜６、ルートＣはカンパニー２で行われる工程７〜１０からなる。本システムは、ルートＡのように、複数のカンパニーにまたがるルートであっても管理することができる。
【００１９】
このルート定義情報は、ユーザが図示しない入力画面から入力して、管理装置１の図示しないルート定義テーブルに登録してもよい。これにより、本システムでは、ユーザが自由にルート定義をすることができる。このとき、ルート定義を行うことができるユーザを限定してもよい。また、各カンパニーシステム２が各カンパニーでの工程を示すデータを保持しているときは、管理装置１が各カンパニーシステムからそのデータを取得し、これらを組み合わせてルート定義情報を自動的に生成してもよい。
【００２０】
管理装置１は、進捗管理テーブル１０と、レポートテーブル２０と、ユーザテーブル３０と、ユーザグループテーブル４０とを備える。各テーブル１０、２０、３０、４０はいずれも、管理装置１内の図示しない記憶装置に記憶されている。各テーブル１０、２０、３０、４０は、いずれも管理装置１またはカンパニーシステム２からアクセスするユーザが、それぞれ与えられた権限の範囲内で参照および更新できる。各テーブル１０、２０、３０、４０の参照および更新、並びにアクセス権限の有無のチェックは、例えば、図示しないデータベース管理システムが行うようにしてもよい。
【００２１】
進捗管理テーブル１０は、進捗管理をするための前提となる予定に関する情報、およびその予定に対する実績に関する情報を記憶する。例えば、進捗管理テーブル１０は、図３に示すように、注文ＩＤ１１と、製品名１２と、レコードタイプ１３と、予定と実績の区別するための予／実区分１４と、データ１５と、レポートが添付されているときのレポートＩＤ１６とをデータ項目として有する。
【００２２】
注文ＩＤ１１は、進捗管理の対象となる各注文を一意に識別するためのＩＤである。注文ＩＤ１１で特定される一つの注文に対して、必要なデータが複数のレコードに分割されて進捗管理テーブル１０に格納されている。
【００２３】
レコードタイプ１３は、進捗管理テーブル１０に格納されている各レコードが何のデータを含むかを示す。例えば、レコードタイプ１３は、図７に示す工程管理表１００に表示される項目（１３３または１３４のいずれか）のいずれのデータを含むレコードであるかを示す。
【００２４】
予／実区分１４は、進捗管理テーブル１０に格納されている各レコードが予定を示すレコードであるか、または実績を示すレコードであるかを区別する。
【００２５】
データ１５には、数量、日付など、レコードタイプ１３に対応する値が記憶される。
【００２６】
レポートＩＤ１６は、進捗管理テーブル１０に格納されているレコードに後述するようなレポートが添付されている場合に、そのレポートを特定するためのＩＤである。一つのレコードに複数のレポートが添付されている場合、レポートＩＤ１６には複数のＩＤが格納される。
【００２７】
工程管理テーブル１０の各レコードは、例えば、他のシステムから受け付けた電子的なデータに基づいて記録してもよいし、後述する工程管理表１００から入力されたものを登録することもできる。
【００２８】
工程管理テーブル１０は、さらに、データ項目として各レコードが記録または更新された日時を示すタイムスタンプを有していてもよい。
【００２９】
レポートテーブル２０は、進捗管理テーブル１０に格納されているレコードに添付されたレポートの本文等を格納する。
【００３０】
レポートテーブル２０は、例えば、図４に示すように、レポートＩＤ２１と、タイトル２２と、レポートタイプ２３と、サブジェクト２４と、レポートの本文２５と、レポートの作成者２６とをデータ項目として含む。進捗管理テーブル１０とレポートテーブル２０とは、レポートＩＤ１６（２１）で対応づけられる。作成者２６は、レポートを作成したユーザのＩＤである。
【００３１】
タイトル２２、レポートタイプ２３、サブジェクト２４および本文２５は、いずれも後述するレポート入力画面２００（図８参照）で入力された情報が格納される。
【００３２】
レポートタイプ２３は、後述の過去事例検索でのキーとして利用される。レポートタイプ２３には、レポートのカテゴリが記憶される。このカテゴリは、例えば、進捗管理テーブル１０で関連づけられているレコードにおける予定と実績との乖離、例えば作業の遅れ度合いなどに基づいて、本システムが定める。
【００３３】
ユーザテーブル３０は、本システムを利用するユーザに関する情報を記憶する。例えば、ユーザテーブル３０は、図５に示すように、ユーザＩＤ３１と、ユーザが属するユーザグループ３２と、パスワード３３と、前回ログアウト日時３４と、電子メールアドレス３５とを含む。
【００３４】
ユーザグループテーブル４０は、ユーザグループの属性を記憶する。例えば、ユーザグループテーブル４０は、図６に示すように、ユーザグループが属するカンパニー４１と、グループＩＤ４２と、ルートＩＤ４３と、工程名４４と、権限４５とをデータ項目として有する。
【００３５】
ルートＩＤ４３および工程名４４は、いずれも各ユーザグループの業務範囲のルートおよび工程を示す。つまり、各ユーザグループに属するユーザは、ここに定められているルートＩＤおよび工程のデータにだけアクセスすることが許される。さらに、権限４５は、それぞれのユーザグループに対して、各工程で与えられている権限を示す。ここでは、権限４５は、各工程の予定または実績のデータの更新をする権限の有無を示す。つまり、各ユーザは、アクセスが許可される場合であっても、ここに定められていることしかすることができない。
【００３６】
例えば、図６の例では、グループＩＤ４２「Ｇ１００」には、ルートａの工程１の予定および実績の更新権限があり、ルートａの工程２については、予定は更新権限があるが、実績には更新権限がないことがわかる。
【００３７】
次に、管理装置１が提供するインタフェース画面について、図７〜図１０を用いて説明する。
【００３８】
工程管理表１００の一例を図７に示す。工程管理表１００は、注文ＩＤ１３１と、製品名１３２と、数量１３３と、各工程（の終了予定日および実績の終了日）１３４とを項目として備える。そして、注文ＩＤ１３１で定まる各注文について、数量１３３および各工程１３４の予定１１０および実績１２０が表示される。これらのデータは、注文ＩＤ１１およびレコードタイプ１３をキーにして、進捗管理テーブル１０から取得する。
【００３９】
工程管理表１００は、図示するように、ルート内の各管理ポイントに対して、注文ごとに予定１１０と実績１２０とが上下に並んで表示される。これにより、予定と実績とを容易に対比することができる。数量１３３および工程の日付１３４の予定１１０および実績１２０は、権限を有するユーザであればこの画面から入力することができる。権限の有無は、ユーザグループテーブル４０の権限４５を参照して確認する。
【００４０】
また、工程管理表１００に表示されるルートあるいはルート内の工程１３４は、ユーザごとに異なるようにすることもできる。この場合、例えば、管理装置１にアクセスしたユーザのユーザＩＤに基づいて、ユーザテーブル３０およびユーザグループテーブル４０を参照して、アクセス権限を有するルートの工程を表示させる。
【００４１】
さらに、各工程に対して入力権限を有するユーザは、その工程に関するレポート（メッセージ）を作成することができる。このレポートにより、その工程に関わるユーザ（例えば、管理担当者および現場責任者）間で、報告や指示などのコミュニケーションを容易にすることができる。レポート入力は例えば以下のような手順で行う。
【００４２】
まず、工程管理表１００において、レポートを添付したい項目（いずれかの工程の予定または実績、または数量）の領域を選択する。図７では、太線１５０で囲まれた部分が選択されている。ここで、レポート作成ボタン１６０が押されると、図８に示すレポート作成画面２００が表示される。ユーザは、この画面を用いてレポートの作成が可能となる。登録ボタン２１０が押されると、このレポートにレポートＩＤが自動的に付される。そして、このレポートＩＤが、工程管理表で選択された項目と対応づけて進捗管理テーブル１０に記憶される。レポートの実体（本文、サブジェクト、タイトル）は、レポートテーブル２０に記憶される。
【００４３】
また、レポート作成画面２００には、過去事例ボタン２２０があり、このボタンが押されると、工程管理表１００で選択された項目に関する現在の状況と類似する過去の事例に関するレポートがメッセージテーブル２０から抽出される。例えば、選択された項目の属するルート、工程などに基づいて、これらと類似するメッセージを抽出する。あるいは、選択された項目のルート、工程および進捗度合い（遅れ日数など）に基づいて、同一または類似のルート、工程および進捗度合いの時に入力されたメッセージを抽出してもよい。なお、進捗度合いが同一または類似であるかどうかの判断は、例えば、レポートタイプ２３を用いて行う。つまり、選択された項目の予定と実績との乖離に基づき、その乖離度合いと対応するレポートタイプ２３のデータをレポートテーブル２０から抽出する。ここで抽出された過去事例は、図示しない画面に表示され、レポートの入力をするユーザが参照することができる。
【００４４】
再び図７を参照すると、すでにレポートが登録されている場合、このレポートと関連づけられている項目の表示領域にレポートアイコン１４０が表示される。このレポートアイコン１４０が選択されると、図９に示すようなレポート表示画面３００が表示される。この表示画面３００では、同一のレポートテーマに対して入力されたレポートが複数ある場合、レポート作成者および工程に関わらず作成時刻順（図９の例では昇順）に表示される。
【００４５】
再度図７を参照すると、予定よりも実績が遅延している場合、あるいは予定日を一定以上過ぎているのに実績の終了日が入力されていない場合などは、関連する工程の表示領域にユーザに注意を喚起するための警告アイコン１５０が表示される。この警告アイコン１５０が選択されると、警告内容の詳細を示した警告メッセージ（図示しない）が表示されるようにしてもよい。
【００４６】
また、本システムは、ユーザが本システムへログインしたとき、そのユーザと関連する業務について起きた事象のうち、ユーザが未確認のものを一覧表示するイベントリストを表示させる。イベントリストの一例を図１０に示す。
【００４７】
イベントリスト４００は、イベントの起きた日付４１０と、注文ＩＤ４２０と、製品名４３０と、工程４４０と、発生したイベント４５０と、参照アイコン４６０とをデータ項目として有する。参照アイコン４６０の項目に表示されているアイコン４６１が選択されると、このアイコンと対応するイベントの詳細を示す画面等（図示しない）が表示される。
【００４８】
イベントリスト４００に表示されるデータは、例えば、以下のような手順で抽出される。すなわち、ユーザが本システムへログインすると、そのユーザのＩＤに基づいて、ユーザテーブル３０およびユーザグループテーブル４０を参照して、ルートＩＤ４３および工程名４４で定まる、そのユーザがアクセス可能な業務範囲内であり、かつ、ログイン時点でユーザが未確認の情報を抽出する。（未確認であるかどうかはどうやってチェックしますか？）
また、あるイベントが起きると、管理装置１はその都度、上述と反対の手順でそのイベントと関連するユーザを抽出する。つまり、そのイベントが自己の業務範囲内であるユーザを抽出する。そして、そのユーザへ、電子メールアドレス３５に基づいて電子メールでそのイベントを通知するようにしてもよい。
【００４９】
次に、ルート定義および予定・実績の入力手順について、図１１のフローチャートを用いて説明する。
【００５０】
まず、所定の権限を有するユーザが、図示しない画面からルート定義を行う（Ｓ１１）。ルートの定義情報に従って、例えば作業計画の担当者等が各工程の作業終了予定日を決定して、権限を有するユーザが工程管理表１００等から本システムに入力する（Ｓ１２）。入力された予定日などの情報は、進捗管理テーブル１０に登録される。このとき、必要に応じて各工程での具体的な作業の指示などについてメッセージを入力し、各工程と対応づけて添付することができる。
【００５１】
その後、作業が進むに連れて、作業の責任者などの権限を有するユーザが、工程が終了するごとに工程管理表１００等から実績の作業終了日を入力する（Ｓ１３）。このとき、計画担当者からのメッセージがあれば、これを参照することができる。さらに、必要に応じて各工程での報告事項などについてメッセージを入力し、各工程と対応づけて添付することができる。
【００５２】
作業の進捗管理を行う管理者は、随時、予定および実績が並んで表示された工程管理表１００を参照することができる（Ｓ１４）。これにより、進捗管理者は進捗情報を知ることができる。さらに、メッセージが添付されている場合は、そのメッセージの参照も可能である。
【００５３】
次に、ログイン時のイベントリスト表示の手順について、図１２のフローチャートを用いて説明する。
【００５４】
まず、本システムは、ユーザからのログイン要求を受けると、パスワード等によるユーザ認証を行ってログインを許可する（Ｓ２１）。
【００５５】
ログインしたユーザのＩＤに基づいて、ユーザテーブル３０およびユーザグループテーブル４０を参照し、このユーザがアクセス可能なルートＩＤ４３および工程名４４を特定する（Ｓ２２）。そして、このルートＩＤおよび工程名に基づいて、進捗管理テーブル１０から該当するレコードを抽出する（Ｓ２３）。そして、抽出された対象レコードのうち、ログインしたユーザが未確認のレコードをさらに選択する（Ｓ２４）。そして、ここで選択されたレコードをイベントリスト４００に表示させる（Ｓ２５）。
【００５６】
これにより、ユーザは、ログイン時点で未確認の事象を容易に把握することができる。また、イベントリスト４００では、参照アイコン４６１を選択すればさらに詳細な情報を得ることができ、これらに迅速に対応することができる。
【００５７】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【図面の簡単な説明】
【図１】本発明を適用した一実施形態に係る進捗管理システムの全体構成を示す図である。
【図２】ルート定義の一例を示す図である。
【図３】進捗管理テーブルの一例を示す図である。
【図４】レポートテーブルの一例を示す図である。
【図５】ユーザテーブルの一例を示す図である。
【図６】ユーザグループテーブルの一例を示す図である。
【図７】工程管理表の一例を示す図である。
【図８】レポート入力画面の一例を示す図である。
【図９】レポート表示画面の一例を示す図である。
【図１０】イベントリストの一例を示す図である。
【図１１】ルート定義および予定、実績入力の手順を示すフローチャートである。
【図１２】ログイン時のイベントリスト表示の手順を示すフローチャートである。
【符号の説明】
１…管理装置、２…カンパニーシステム、９…ネットワーク、１０…進捗管理テーブル、２０…レポートテーブル、３０…ユーザテーブル、４０…ユーザグループテーブル、１００…工程管理表、２００…レポート入力、３００…レポート表示画面、４００…イベントリスト。
【図１】
2004295531.tif 000003
【図２】
2004295531.tif 000004
【図３】
2004295531.tif 000005
【図４】
2004295531.tif 000006
【図５】
2004295531.tif 000007
【図６】
2004295531.tif 000008
【図７】
2004295531.tif 000009
【図８】
2004295531.tif 000010
【図９】
2004295531.tif 000011
【図１０】
2004295531.tif 000012
【図１１】
2004295531.tif 000013
【図１２】
2004295531.tif 000014